(57)【要約】  多指向性キャニスターを含む減圧組織治療のためのシステムおよび方法。キャニスターは、組織部位からの流体を受け入れる入口と、入口から流体を受け取るために、入口と流体連通する主室とを含む。キャニスターは、１つ以上のフィルター室壁によって主室から分けられたフィルター室を含む。１つ以上のフィルター室壁は、第１の直径を有する第１の孔と、第１の直径よりも小さい第２の直径を有する第２の孔とを含む。第１の孔は、フィルター室と主室との間に第１の流体連通経路をもたらす。キャニスターは、フィルター室と減圧源との間に流体連通をもたらす出口を含む。【選択図】図１
2015510433.tif 000002
【特許請求の範囲】
【請求項１】
減圧組織治療において使用するための多指向性キャニスターにおいて、
組織部位と流体的に接続されかつ前記組織部位からの流体を受け入れることができるように適合された入口と；
前記入口と流体連通して前記入口から流体を受け取る主室と；
１つ以上のフィルター室壁によって前記主室から分けられたフィルター室と；
前記１つ以上のフィルター室壁を貫通して位置決めされた、前記フィルター室と前記主室との間に第１の流体連通経路を提供するための、第１の直径を有する第１の孔と；
前記１つ以上のフィルター室壁を貫通して位置決めされた、前記第１の直径よりも小さい第２の直径を有する第２の孔と；
前記フィルター室との流体連通をもたらす出口であって、減圧源に流体的に接続されるように適合された出口と
を含むことを特徴とする、キャニスター。
【請求項２】
請求項１に記載のキャニスターにおいて、さらに、前記フィルター室内に位置決めされたフィルターを含むことを特徴とする、キャニスター。
【請求項３】
請求項１に記載のキャニスターにおいて、さらに、前記フィルター室に取り付けられた前記減圧源を含むことを特徴とする、キャニスター。
【請求項４】
請求項１に記載のキャニスターにおいて、さらに、前記入口に隣接して位置決めされたバッフルを含み、流体が前記入口を通って前記キャニスターに入るときの、前記流体のはね散らしを阻止することを特徴とする、キャニスター。
【請求項５】
請求項１に記載のキャニスターにおいて、さらに、前記主室内に位置決めされたゲル化剤を含み、前記組織部位から受け取った流体と接触するとゲルを形成することを特徴とする、キャニスター。
【請求項６】
請求項１に記載のキャニスターにおいて、前記第１の孔が前記第２の孔から距離Ｄにあることを特徴とする、キャニスター。
【請求項７】
請求項１に記載のキャニスターにおいて、前記キャニスターが主動作向きを有することを特徴とする、キャニスター。
【請求項８】
請求項７に記載のキャニスターにおいて、前記キャニスターの主動作向きにおいて、前記第１の孔が前記第２の孔の下方に位置決めされていることを特徴とする、キャニスター。
【請求項９】
請求項７に記載のキャニスターにおいて、前記キャニスターが前記主動作向きにあるときに、前記第１の孔が前記重力に対して水平であることを特徴とする、キャニスター。
【請求項１０】
請求項７に記載のキャニスターにおいて、前記キャニスターが前記主動作向きにあるときに、前記第２の孔が前記重力に対して垂直であることを特徴とする、キャニスター。
【請求項１１】
請求項１に記載のキャニスターにおいて、前記第１の孔が、前記キャニスターの重心上にまたは実質的にその近くに位置決めされていることを特徴とする、キャニスター。
【請求項１２】
請求項１に記載のキャニスターにおいて、前記第１の孔が、前記キャニスターの質量中心上にまたは実質的にその近くに位置決めされていることを特徴とする、キャニスター。
【請求項１３】
減圧組織治療において使用するためのキャニスターにおいて、
筐体を形成するように配置された１つ以上のキャニスター壁と；
前記筐体内に位置決めされて、組織部位が受け取った滲出液を収集する主室と；
前記筐体内に位置決めされたフィルター室であって、前記フィルター室を前記主室から仕切るための第１のフィルター室壁および第２のフィルター室壁を有するフィルター室と；
前記１つ以上のキャニスター壁から離間して、前記第１のフィルター室壁を貫通して延びる第１のアパーチャと；
前記第１のアパーチャよりも小さい、前記第２のフィルター室壁を貫通して延びる、第２のアパーチャと
を含むことを特徴とする、キャニスター。
【請求項１４】
請求項１３に記載のキャニスターにおいて、さらに、前記フィルター室内に位置決めされたフィルターを含むことを特徴とする、キャニスター。
【請求項１５】
請求項１３に記載のキャニスターにおいて、さらに、前記フィルター室に取り付けられた減圧源を含むことを特徴とする、キャニスター。
【請求項１６】
請求項１３に記載のキャニスターにおいて、さらに、
前記組織部位からの流体を受け入れる収容室であって、前記収容室と前記主室との間に流体連通をもたらすアパーチャを有する収容室と；
前記流体が前記主室に入るときの、流体のはね散らしを阻止するために、前記収容室のアパーチャに隣接して位置決めされたバッフルと
を含むことを特徴とする、キャニスター。
【請求項１７】
請求項１３に記載のキャニスターにおいて、さらに、前記主室内に位置決めされたゲル化剤を含み、前記組織部位から受け取った流体と接触するとゲルを形成することを特徴とする、キャニスター。
【請求項１８】
請求項１３に記載のキャニスターにおいて、前記第１のアパーチャが前記第２のアパーチャから距離Ｄにあることを特徴とする、キャニスター。
【請求項１９】
請求項１３に記載のキャニスターにおいて、前記キャニスターが主動作向きを有することを特徴とする、キャニスター。
【請求項２０】
請求項１９に記載のキャニスターにおいて、前記キャニスターの主動作向きにおいて、前記第１のアパーチャが前記第２のアパーチャの下方に位置決めされていることを特徴とする、キャニスター。
【請求項２１】
請求項１９に記載のキャニスターにおいて、前記キャニスターが前記主動作向きにあるときに、前記第１のアパーチャが前記重力に対して水平であることを特徴とする、キャニスター。
【請求項２２】
請求項１９に記載のキャニスターにおいて、前記キャニスターが前記主動作向きにあるときに、前記第２のアパーチャが前記重力に対して垂直であることを特徴とする、キャニスター。
【請求項２３】
請求項１９に記載のキャニスターにおいて、
前記キャニスターの主動作向きでは、前記第１のアパーチャが前記第２のアパーチャの下方に位置決めされ；
前記キャニスターが前記主動作向きにあるときに、前記第１のアパーチャが前記重力に平行であり、および
前記キャニスターが前記主動作向きにあるときに、前記第２のアパーチャが前記重力に対して垂直であることを特徴とする、キャニスター。
【請求項２４】
請求項１３に記載のキャニスターにおいて、前記第１のフィルター室壁が、前記第２のフィルター室壁に実質的に垂直であることを特徴とする、キャニスター。
【請求項２５】
減圧組織治療において使用するためのキャニスターにおいて、
組織部位からの液体を受け入れるように適合された入口を有する主室と；
１つ以上の壁によって前記主室から隔離されたフィルター室であって、減圧源に流体的に結合されるように適合された出口を有するフィルター室と；
前記１つ以上の壁を貫通して延びる第１のアパーチャおよび第２のアパーチャであって、前記第１のアパーチャは、前記第１のアパーチャが前記液体によって閉塞されるまで、前記主室と前記フィルター室との間に流体連通をもたらすように構成され、前記第１のアパーチャが前記液体によって閉塞されると、前記第２のアパーチャは、前記主室と前記フィルター室との間に流体連通をもたらすように構成されている、第１のアパーチャおよび第２のアパーチャと
を含むことを特徴とする、キャニスター。
【請求項２６】
請求項２５に記載のキャニスターにおいて、さらに、前記出口に隣接して位置決めされた気液分離装置を含むことを特徴とする、キャニスター。
【請求項２７】
請求項２５に記載のキャニスターにおいて、さらに、前記フィルター室内に位置決めされたフィルターを含むことを特徴とする、キャニスター。
【請求項２８】
請求項２５に記載のキャニスターにおいて、さらに、前記入口に隣接して位置決めされたバッフルを含み、流体が前記入口を通って前記キャニスターに入るときの、前記流体のはね散らしを阻止することを特徴とする、キャニスター。
【請求項２９】
請求項２５に記載のキャニスターにおいて、さらに、前記主室内に位置決めされたゲル化剤を含み、前記組織部位から受け取った流体と接触するとゲルを形成することを特徴とする、キャニスター。
【請求項３０】
請求項２５に記載のキャニスターにおいて、前記第１のアパーチャが前記第２のアパーチャから距離Ｄにあることを特徴とする、キャニスター。
【請求項３１】
請求項２５に記載のキャニスターにおいて、前記キャニスターが主動作向きを有することを特徴とする、キャニスター。
【請求項３２】
請求項３１に記載のキャニスターにおいて、前記キャニスターの主動作向きでは、前記第１のアパーチャが前記第２のアパーチャの下方に位置決めされていることを特徴とする、キャニスター。
【請求項３３】
請求項３１に記載のキャニスターにおいて、前記キャニスターが前記主動作向きにあるときに、前記第１のアパーチャが前記重力に対して水平であることを特徴とする、キャニスター。
【請求項３４】
請求項３１に記載のキャニスターにおいて、前記キャニスターが前記主動作向きにあるときに、前記第２のアパーチャが前記重力に対して垂直であることを特徴とする、キャニスター。
【請求項３５】
請求項３１に記載のキャニスターにおいて、
前記キャニスターの主動作向きにおいて、前記第１のアパーチャが前記第２のアパーチャの下方に位置決めされ；
前記キャニスターが前記主動作向きにあるときに、前記第１のアパーチャが前記重力に対して水平であり；および
前記キャニスターが前記主動作向きにあるときに、前記第２のアパーチャが前記重力に対して垂直であることを特徴とする、キャニスター。
【請求項３６】
請求項２５に記載のキャニスターにおいて、前記第２のアパーチャが前記第１のアパーチャよりも小さいことを特徴とする、キャニスター。
【請求項３７】
請求項２５に記載のキャニスターにおいて、前記第２のアパーチャが閉塞すると、前記第１および第２のアパーチャが、前記主室と前記フィルター室との間に流体連通をもたらすように構成されていることを特徴とする、キャニスター。
【請求項３８】
請求項２５に記載のキャニスターにおいて、前記第２のアパーチャが閉塞すると、前記第１のアパーチャが、前記主室と前記フィルター室との間に流体連通をもたらすように構成されていることを特徴とする、キャニスター。
【請求項３９】
液体収集キャニスターにおいて：
１つ以上の壁によって流体的に隔離された第１および第２の室と；
前記第１の室と第２の室との間に流体連通をもたらすために、前記１つ以上の壁に位置決めされた複数のアパーチャと；
を含み、
前記複数のアパーチャがフィルターまたは膜によって覆われていないことを特徴とする、液体収集キャニスター。
【請求項４０】
請求項３９に記載の液体収集キャニスターにおいて、前記第１の室が主室であり、および前記第２の室はフィルター室であり、前記液体収集キャニスターは、さらに、
組織部位からの流体を受け入れることができる入口であって、前記組織部位と前記主室との間に流体連通をもたらすように適合された入口と；
平面に位置決めされた前記複数のアパーチャの１つのアパーチャであって、前記平面は、前記複数のアパーチャの別のアパーチャに対して垂直であり、前記１つのアパーチャが第１の直径を有し、および前記別のアパーチャが、前記第１の直径よりも小さい第２の直径を有する、１つのアパーチャと；
前記フィルター室との流体連通をもたらす出口であって、減圧源に流体的に接続されるように適合された出口と
を含むことを特徴とする、液体収集キャニスター。
【請求項４１】
請求項４０に記載の液体収集キャニスターにおいて、さらに、前記出口に隣接して位置決めされた気液分離装置を含むことを特徴とする、液体収集キャニスター。
【請求項４２】
請求項４０に記載の液体収集キャニスターにおいて、さらに、前記フィルター室内に位置決めされたフィルターを含むことを特徴とする、液体収集キャニスター。
【請求項４３】
請求項４０に記載の液体収集キャニスターにおいて、さらに、前記入口に隣接して位置決めされたバッフルを含み、流体が前記入口を通って前記キャニスターに入るときの、前記流体のはね散らしを阻止することを特徴とする、液体収集キャニスター。
【請求項４４】
請求項４０に記載の液体収集キャニスターにおいて、さらに、前記主室内に入れられたゲル化剤を含み、前記組織部位から受け取った流体と接触するとゲルを形成することを特徴とする、液体収集キャニスター。
【請求項４５】
請求項４０に記載の液体収集キャニスターにおいて、前記１つのアパーチャが前記別のアパーチャから距離Ｄにあることを特徴とする、液体収集キャニスター。
【請求項４６】
請求項４０に記載の液体収集キャニスターにおいて、前記液体収集キャニスターが主動作向きを有することを特徴とする、液体収集キャニスター。
【請求項４７】
請求項４６に記載の液体収集キャニスターにおいて、前記液体収集キャニスターの主動作向きにおいて、前記１つのアパーチャが前記別のアパーチャの下方に位置決めされていることを特徴とする、液体収集キャニスター。
【請求項４８】
請求項４６に記載の液体収集キャニスターにおいて、前記液体収集キャニスターが前記主動作向きにあるときに、前記１つのアパーチャが前記重力に対して水平であることを特徴とする、液体収集キャニスター。
【請求項４９】
請求項４６に記載の液体収集キャニスターにおいて、前記液体収集キャニスターが前記主動作向きにあるときに、前記別のアパーチャが前記重力に対して垂直であることを特徴とする、液体収集キャニスター。
【請求項５０】
減圧組織治療において使用するためのキャニスターにおいて、
組織部位からの液体を受け入れるように適合された入口を有する主室と；
１つ以上の壁によって前記主室から隔離されたフィルター室であって、減圧源に流体的に結合されるように適合された出口を有するフィルター室と；
前記フィルター室内に位置決めされたフィルターと；
前記１つ以上の壁を貫通して延びる第１のアパーチャおよび第２のアパーチャであって、流体が前記主室に入るときに偶然前記フィルターに接触することがないようなサイズにされている第１および第２のアパーチャと
を含むことを特徴とする、キャニスター。
【請求項５１】
請求項５０に記載のキャニスターにおいて、さらに、前記主室内に位置決めされたゲル化剤を含み、前記組織部位から受け取った前記液体と接触するとゲルを形成することを特徴とする、キャニスター。
【請求項５２】
組織部位に減圧組織治療を適用する減圧送達システムにおいて：
多指向性キャニスターであって：
筐体を形成するように配置された１つ以上のキャニスター壁；
前記組織部位からの滲出液を収容するために、前記筐体内に位置決めされた主室；
前記筐体内に位置決めされたフィルター室であって、前記フィルター室を前記主室から仕切る第１のフィルター室壁および第２のフィルター室壁を有する、フィルター室；
前記１つ以上のキャニスター壁から離間して、前記第１のフィルター室壁を貫通して延びる第１のアパーチャ；および
前記第１のアパーチャよりも小さい、前記第２のフィルター室壁を貫通して延びる第２のアパーチャ
を含む多指向性キャニスターと；
前記組織部位に減圧を適用するために、前記多指向性キャニスターに圧力流体的に接続された減圧源と；
前記組織部位に隣接して位置決めされたマニホールドと；
前記主室と前記マニホールドとの間に流体的に接続され、前記組織部位から前記主室へ流体を送達する導管と
を含むことを特徴とする、減圧送達システム。
【請求項５３】
組織部位に減圧組織治療を適用する減圧送達システムにおいて：
液体収集キャニスターであって：
１つ以上の壁によって流体的に隔離された第１および第２の室、および
前記１つ以上の壁に位置決めされて、前記第１および第２の室との間に流体連通をもたらす複数のアパーチャであって、膜によって覆われていない複数のアパーチャ
を含む液体収集キャニスターと；
前記組織部位に減圧を適用するための減圧源と；
前記組織部位に隣接して位置決めされたマニホールドと；
前記第１の室と前記マニホールドとの間に流体的に接続されて、前記組織部位から前記第１の室へ流体を送達する導管と
を含むことを特徴とする、減圧送達システム。
【請求項５４】
減圧組織治療において使用するキャニスターに位置決めされたフィルター室から流体を空にする方法において、
前記キャニスターの主室に流体を収容するステップと；
前記キャニスターが第１の位置に回転されることで、前記主室内の流体が第１のアパーチャまたは第２のアパーチャのいずれかを通って前記フィルター室に流入するステップであって、前記第１のアパーチャは前記第２のアパーチャよりも大きく、および前記第１のアパーチャは第１の平面に配置されており、前記第１の平面は、前記第２のアパーチャが配置される第２の平面に対して実質的に垂直であるステップと；
前記キャニスターが第２の位置に回転されることで、前記フィルター室内の流体を、前記第１のアパーチャを通って前記主室に戻るように流入させるステップと
を含むことを特徴とする、方法。
【請求項５５】
減圧組織治療において使用される多指向性キャニスターに位置決めされたフィルターの使用期間を延ばす方法において、
前記多指向性キャニスターの主室に流体を収容するステップであって、前記流体がゲル化剤と反応してゲルを形成するステップと；
前記主室内の前記流体またはゲルのレベルが前記第１のアパーチャを覆って前記第１のアパーチャを一時的に遮断するまで、前記主室をフィルター室から分ける隔壁に位置決めされた第１のアパーチャを介して、前記主室に減圧を適用するステップと；
前記第１のアパーチャが一時的に遮断されることに応答して、前記主室内の前記流体またはゲルのレベルが前記第２のアパーチャを覆うまで、前記隔壁に位置決めされた第２のアパーチャを介して、前記主室に前記減圧を適用し続けるステップであって、前記第１のアパーチャは前記第２のアパーチャから距離Ｄであるステップと；
前記第２のアパーチャを覆う前記流体またはゲルのレベルに応答して、前記第１のアパーチャを通して前記主室に前記減圧を適用し続け、前記主室および前記フィルター室の双方がゲルで実質的に一杯になるまで、前記主室内の前記ゲルを前記フィルター室に引き入れるステップ
を含むことを特徴とする、方法。
【発明の詳細な説明】
【技術分野】
【０００１】
本発明は、概して減圧治療システムに関し、より詳細には、減圧治療システムと共に使用するための多指向性（ｍｕｌｔｉ−ｏｒｉｅｎｔａｔｉｏｎ）キャニスターに関する。
【背景技術】
【０００２】
臨床試験および実習から、組織部位に近接して減圧をもたらすことによって、組織部位における新しい組織の成長を増強および加速することが示されている。この現象の適用は多数あるが、１つの特定の減圧の適用は、創傷の治療を含む。この治療（医学界では「陰圧閉鎖療法」、「減圧療法」、または「真空療法」と呼ばれることが多い）はいくつもの利点を提供し、それら利点には、上皮組織および皮下組織の移動、血流の改善、および創傷部位における組織の微小変形が含まれる。これらの利点と共に、肉芽組織の形成加速化や治癒時間の短縮も得られる。一般に、減圧は、減圧源によって、多孔質パッドまたは他のマニホールド装置を通して組織に行われる。多孔質パッドは、減圧を組織に分配しかつ組織から引き出された流体を運ぶことができる気泡または細孔を含む。多孔質パッドは、治療を促す他の構成要素を有するドレッシングに組み込まれることが多い。組織部位から引き出された流体は、キャニスターに収集されることが多い。
【発明の概要】
【０００３】
既存の減圧治療システムによって示された問題は、本明細書で説明する例示的実施形態のシステムおよび方法によって解決される。例示的一実施形態では、減圧組織治療において使用するための多指向性キャニスターは、組織部位と流体的に接続されるように適合された入口であって、組織部位から流体を受け入れることができる入口と、入口からの流体を受け取るために、入口と流体連通する主室とを含む。多指向性キャニスターは、さらに、１つ以上のフィルター室壁によって主室から分けられたフィルター室を含む。１つ以上のフィルター室壁は、第１の直径を有する第１の孔と、第１の直径よりも小さい第２の直径を有する第２の孔とを含む。第１の孔は、１つ以上のフィルター室壁を貫通して位置決めされ、フィルター室と主室との間に第１の流体連通経路をもたらす。多指向性キャニスターは、さらに、フィルター室との流体連通をもたらす出口であって、減圧源に流体的に接続されるように適合された出口を含む。
【０００４】
別の例示的実施形態では、減圧組織治療において使用されるキャニスターは、筐体を形成するように配置された１つ以上のキャニスター壁を含み、筐体内には主室およびフィルター室が位置決めされている。主室は、組織部位が受け取った滲出液を収集し得る。フィルター室は、フィルター室を主室から仕切る第１のフィルター室壁および第２のフィルター室壁を含む。第１のアパーチャが、１つ以上のキャニスター壁から離間して、第１のフィルター室壁を貫通して延びる。第１のアパーチャよりも小さい第２のアパーチャが、第２のフィルター室壁を貫通して延びる。
【０００５】
さらに別の例示的実施形態では、減圧組織治療において使用されるキャニスターが、組織部位からの液体を受け入れるように適合された入口を有する主室と、主室から１つ以上の壁によって隔離されたフィルター室とを含む。フィルター室は、減圧源に流体的に結合されるように適合された出口を有する。１つ以上の壁を貫通して第１のアパーチャおよび第２のアパーチャが延びる。第１のアパーチャは、第１のアパーチャが液体によって閉塞されるまで、主室とフィルター室との間に流体連通をもたらすように構成される。液体によって第１のアパーチャが閉鎖されると、第２のアパーチャが、主室とフィルター室との間に流体連通をもたらすように構成される。
【０００６】
別の例示的実施形態では、液体収集キャニスターが、１つ以上の壁によって流体的に隔離された第１および第２の室と、１つ以上の壁に位置決めされた、第１の室と第２の室との間に流体連通をもたらすための複数のアパーチャとを含む。複数のアパーチャは膜によって覆われていない。
【０００７】
別の例示的実施形態では、減圧組織治療において使用するためのキャニスターは、組織部位からの液体を受け入れるように適合された入口を有する主室と、１つ以上の壁によって主室から隔離されたフィルター室とを含む。フィルター室は、減圧源に流体的に結合されるように適合された出口を含む。キャニスターは、さらに、フィルター室内に位置決めされたフィルターと、１つ以上の壁を貫通して延びる第１のアパーチャおよび第２のアパーチャとを含む。第１および第２のアパーチャのサイズは、流体が主室に入るときに偶然フィルターに接触することがないようなサイズにされている。
【０００８】
さらに別の例示的実施形態では、組織部位に減圧組織治療を適用する減圧送達システムは、多指向性キャニスターを含む。多指向性キャニスターは、筐体を形成するように配置された１つ以上のキャニスター壁と、組織部位からの滲出液を収容するために、筐体内に位置決めされた主室と、筐体内に位置決めされたフィルター室とを含む。フィルター室は、フィルター室を主室から仕切る第１のフィルター室壁および第２のフィルター室壁を有する。第１のアパーチャが、１つ以上のキャニスター壁から離間して、第１のフィルター室壁を貫通して延び、および第１のアパーチャよりも小さい第２のアパーチャが、第２のフィルター室壁を貫通して延びる。システムは、さらに、組織部位に減圧を適用するための、多指向性キャニスターに流体的に接続された減圧源と、組織部位に隣接して位置決めされたマニホールドと、組織部位から主室へ流体を送達するために、主室とマニホールドとの間に流体的に接続された導管とを含む。
【０００９】
別の例示的実施形態では、組織部位に減圧組織治療を適用する減圧送達システムは、液体収集キャニスターを含む。液体収集キャニスターは、１つ以上の壁によって流体的に隔離された第１および第２の室と、１つ以上の壁に位置決めされた、第１の室と第２の室との間に流体連通をもたらすための複数のアパーチャとを含む。複数のアパーチャは膜によって覆われていない。システムは、さらに、組織部位に減圧を適用する減圧源と、組織部位に隣接して位置決めされたマニホールドと、組織部位から主室へ流体を送達するために、室とマニホールドとの間に流体的に接続された導管とを含む。
【００１０】
別の例示的実施形態では、減圧組織治療において使用するキャニスターに位置決めされたフィルター室から流体を空にする方法は、キャニスターの主室に流体を収容するステップと、キャニスターが第１の位置に回転されることで、主室内の流体が、第１のアパーチャまたは第２のアパーチャを通ってフィルター室に流入するステップとを含む。第１のアパーチャは第２のアパーチャよりも大きく、および第１のアパーチャは第１の平面に配置され、この第１の平面は、第２のアパーチャが配置される第２の平面に実質的に垂直である。この方法はさらに、キャニスターが第２の位置に回転されることで、フィルター室内の流体を、第１のアパーチャを通って主室に戻るように流入させるステップを含む。
【００１１】
さらに別の例示的実施形態では、減圧組織治療において使用する多指向性キャニスターに位置決めされたフィルターの使用期間を延ばす方法は、流体を多指向性キャニスターの主室に収容して、流体がゲル化剤と反応してゲルを形成するようにするステップを含む。この方法は、さらに、主室内の流体またはゲルのレベルが第１のアパーチャを覆い、それにより、第１のアパーチャを一時的に遮断するまで、主室をフィルター室から分ける隔壁に位置決めされた第１のアパーチャを介して、主室に減圧を適用するステップを含む。この方法は、さらに、第１のアパーチャが一時的に遮断されることに応答して、主室内の流体またはゲルのレベルが第２のアパーチャを覆うまで、隔壁に位置決めされた第２のアパーチャを介して、主室に減圧を適用し続けるステップを含む。第１のアパーチャは、第２のアパーチャから距離Ｄにある。この方法はさらに、第２のアパーチャを覆う流体またはゲルのレベルに応答して、第１のアパーチャを通して主室に減圧を適用し続け、主室およびフィルター室の双方が実質的にゲルで一杯になるまで、主室内のゲルをフィルター室に引き入れるステップを含む。
【００１２】
例示的実施形態の他の目的、特徴、および利点は、以下の図面および詳細な説明を参照することから明らかとなる。
【図面の簡単な説明】
【００１３】
【図１】図１は、多指向性キャニスターを含む減圧治療システムの、一部分を断面で示す、斜視図を示す。
【図２】図２は、図１に示す減圧治療システムと共に使用するための多指向性キャニスターの例示的一実施形態の、一部分を隠線で示す斜視図を示す。
【図３】図３は、図２に示す多指向性キャニスターの分解斜視図を示す。
【図４】図４は、図２に示す多指向性キャニスターの別の分解斜視図を示す。
【図５】図５は、背面板および取り付けられたクリップが除去されている、図２の多指向性キャニスターの斜視図を示す。
【図６】図６は、線６−６に沿って取った図５の多指向性キャニスターの断面図を示す。
【図７】図７は、線７−７に沿って取った図５の多指向性キャニスターの断面図を示す。
【発明を実施するための形態】
【００１４】
以下のいくつかの例示的非限定的な実施形態の詳細な説明において、本明細書の一部をなす添付図面を参照する。添付図面は、本発明を実施し得る特定の好ましい実施形態を説明するために示す。これらの実施形態を、当業者が本発明を実施できるようにするのに十分な程度、詳細に説明し、および本発明の趣旨または範囲から逸脱せずに、他の実施形態を使用し得ること、および論理的な構造上の、機械的な、電気的な、および化学的な変更がなされ得ることが理解される。当業者が、本明細書で説明する実施形態を実施できるようにするのに必要ではない詳細に関する説明を避けるために、当業者に公知の特定の情報に関する説明を省略し得る。それゆえ、以下の詳細な説明は、限定的ととられるべきではなく、例示的実施形態の範囲は、添付の特許請求の範囲によってのみ定義される。他に指定のない限り、本明細書を通して、「または」は相互排他性である必要はない。
【００１５】
本明細書では、用語「減圧」は、一般的に、治療が施されている組織部位における周囲圧力を下回る圧力を指す。ほとんどの場合、この減圧は、患者がいる場所の大気圧を下回る。あるいは、減圧は、組織部位における組織に関連付けられる静水圧を下回り得る。用語「真空」および「負圧」を使用して、組織部位に適用される圧力を説明し得るが、組織部位に行われる実際の減圧は、通常完全な真空に関連付けられる減圧を著しく下回り得る。減圧は、最初に、組織部位領域に流体の流れを生成し得る。組織部位周囲の静水圧が所望の減圧に達すると、流れは弱まる可能性があるため、減圧が維持される。他に指定のない限り、本明細書で述べる圧力の値はゲージ圧である。同様に、減圧の上昇は、一般に、絶対圧の低下を指す一方、減圧の低下は、一般に、絶対圧の上昇を指す。
【００１６】
減圧治療システムは、減圧組織治療を受けている組織部位から受け取った、液体および他の流体を含む滲出液を収集するためのキャニスターを使用することが多い。キャニスター内に収集された滲出液は、いくつもの理由から、はね散らしまたははね飛ばしによって、キャニスター内で動き得る。例えば、滲出液がキャニスターに入ると、滲出液は、キャニスターの筐体内ではね散り得るまたは発泡し得る。同様に、滲出液がキャニスターに入ったら、滲出液は、キャニスターが動くことに起因してはね飛び得る。状況によっては、キャニスターは、患者によって装着される可能性があり、かつ通例患者が屈んだりまたは動いたりすると、向きが変更され得る。キャニスター内で滲出液が動くことによって、滲出液は、減圧源を汚染から保護するために使用されるフィルターと接触することになる。
【００１７】
フィルターはキャニスター内に位置決めされて、不要な液体が減圧源を汚染するのを阻止し得る。フィルターに滲出液がはね散らされたり、または患者が動いたことに起因してキャニスターの向きが短時間変更されたりするときなど、創傷滲出液がフィルターに接触すると、滲出液は、接触が短時間であっても、タンパク質膜を残し得るか、またはフィルターに沈着し得る。タンパク質の沈着物は、フィルターが繰り返しかつ長期にわたって滲出液と接触すると、フィルターに堆積し、キャニスターと減圧源との間の空気の流れを可能にするフィルターの能力を低下させる。
【００１８】
遮断されたまたは弱まったフィルターは、少なくとも２つの問題を生じ得る。第１の問題は、キャニスターと減圧源との間の空気の流れの抑制によって、創傷部位における空気の流れが抑制されることである。組織部位から空気を引き出す減圧システムの能力が制限されることによって、組織部位に減圧を維持できなくなる。他方の問題は、キャニスターと減圧源との間の空気の流れが抑制されると、実際にはキャニスターが満杯ではないときに、アラームが鳴って、キャニスターが満杯で空にするまたは交換する必要があることを示し得ることである。減圧療法システムは、減圧がもはや所望の治療レベルで組織部位に供給されていないことに基づいて、キャニスターが満杯であることを示すアラームを有し得る。キャニスター満杯フォールスアラームは、時間および資源の無駄であるため、患者の体に装着されるように構成され、それゆえ、向きが変更されるキャニスターが、キャニスターが真に滲出液で満杯になるまで、フィルターを滲出液と接触しないように保護する手段を有することが有益である。さらに、滲出液がフィルターに接触する場合に、キャニスターが満杯になる前に、キャニスターがフィルターから不要な滲出液を排出できることが有益である。
【００１９】
図１を参照して説明すると、患者の組織部位１０２を治療する減圧治療システム１００の例示的実施形態は、組織部位１０２に近接して配置されたドレッシング１０４と、減圧コネクタ１０８および導管１１０を介してドレッシング１０４に流体的に結合された減圧治療ユニット１０６とを含む。本明細書では、用語「組織部位」は、限定されるものではないが、骨組織、脂肪組織、筋組織、神経組織、皮膚組織、脈管組織、結合組織、軟骨、腱、または靭帯を含む任意の組織にまたはその内部にある創傷または欠損を指し得る。用語「組織部位」は、さらに、必ずしも傷ついても欠損してもいない任意の組織領域であるが、その代わりに、追加的な組織の成長を支援または促進することが望まれる領域を指し得る。例えば、減圧組織治療をいくつかの組織領域に使用して、追加的な組織を成長させ、それら組織を採取し、別の組織の箇所に移植してもよい。
【００２０】
ドレッシング１０４は、組織部位１０２に近接して配置されたマニホールド１１２と、マニホールド１１２に流体的に結合された減圧インターフェース１１４と、ドレープ１１６とを含み得る。ドレープ１１６は、マニホールド１１２を組織部位１０２に固定しかつ流体密閉空間１１３を形成するように、マニホールド１１２を覆って配置されてもよい。この密閉空間は、ドレープの下側に配置され、かつ少なくとも部分的にマニホールド１１２によって占められている。一実施形態では、ドレープ１１６は、組織部位１０２の周囲を越えて延在し、かつ患者の表皮１１８を覆って配置され、ドレープ１１６と表皮１１８との間に流体密閉空間１１３を形成する。ドレープ１１６は、接着剤１２０または結合剤を含んで、ドレープ１１６を表皮１１８に固定し得る。一実施形態では、接着剤１２０を使用して、ドレープ１１６と表皮１１８との間にシールを生じて、組織部位１０２からの減圧の漏出を防止し得る。別の実施形態では、ドレープ１１６と表皮１１８との間に、例えば、ヒドロゲルまたは他の材料などのシール層（図示せず）が配置され、接着剤１２０のシール特性を増強し得るかまたはその代わりとなり得る。本明細書では、「流体シール」は、関連の特定の減圧源によって与えられる減圧を所望の部位に維持するのに適切なシールを意味する。
【００２１】
用語マニホールドは、一般的に、組織部位１０２に対して減圧を行ったり、流体を送達したり、または組織部位１０２から流体を除去したりするのを支援するために設けられる物体または構造である。マニホールド１１２は、一般に、複数の流路または流れ経路を含み、これら複数の流路または流れ経路は、マニホールド１１２周囲の組織部位に提供されかつそこから除去される流体を分配できる。例示的一実施形態では、流路または流れ経路は相互に接続されて、組織部位１０２に提供されるかまたはそこから除去される流体の分配を改善し得る。マニホールド１１２の例は、例えば、限定されるものではないが、例えば、気泡質の発泡体、連続気泡発泡体、多孔性組織集合体、液体、ゲル、および流路を含むまたは硬化して流路を含む発泡体などの、流路を形成するように配置された構造要素を有する装置を含み得る。一実施形態では、マニホールド１１２は多孔質発泡体であり、かつ流路の機能を果たす複数の連続気泡または細孔を含む。多孔質発泡体は、Ｋｉｎｅｔｉｃ  Ｃｏｎｃｅｐｔｓ，Ｉｎｃｏｒｐｏｒａｔｅｄ（Ｓａｎ  Ａｎｔｏｎｉｏ、Ｔｅｘａｓ）製のＧｒａｎｕＦｏａｍ（登録商標）材などの、ポリウレタン製の連続気泡の網状発泡体とし得る。他の実施形態は、「独立気泡」を含んでもよい。
【００２２】
引き続き図１を参照して説明すると、減圧インターフェース１１４は、ドレープ１１６に隣接して位置決めされるかまたはそれに結合されて、マニホールド１１２への流体通路を提供し得る。減圧インターフェース１１４は、上述の接着剤１２０と同様の接着剤１２１によってドレープ１１６に結合され得る。導管１１０および減圧コネクタ１０８は、減圧治療ユニット１０６と減圧インターフェース１１４を流体的に結合する。減圧インターフェース１１４は、減圧を組織部位１０２に送達できるようにする。組織部位１０２に行われる減圧の量および性質は、一般に適用に応じて変動するが、減圧治療ユニット１０６は、典型的には−５ｍｍ  Ｈｇ〜−５００ｍｍ  Ｈｇ、より典型的には−１００ｍｍ  Ｈｇ〜−３００ｍｍ  Ｈｇの減圧をもたらす。
【００２３】
減圧治療ユニット１０６は、滲出液を収集するキャニスター１２２と、減圧源１２４と流体連通する感知ユニット１３０とを含み得る。図１には、減圧治療ユニット１０６が、キャニスター１２２、感知ユニット１３０、および減圧源１２４を単一のハウジングユニット内に収容している状態を示すが、当然のことながら、キャニスター１２２、感知ユニット１３０、および減圧源１２４を含み得る減圧治療ユニット１０６の要素は、流体接続されたいくつもの異なるハウジングユニットに配置されてもよい（図示せず）。キャニスター１２２につき、下記でより詳細に説明する。
【００２４】
導管１１０は、減圧インターフェース１１４と、減圧治療ユニット１０６に位置決めされた減圧コネクタ１０８との間に連続的な導管を提供するマルチルーメン導管またはチューブとし得る。導管１１０は複数のルーメンを示すが、当然のことながら、減圧治療システム１００は、シングルルーメンチューブを使用して動作し得る。導管１１０は、減圧を伝達しかつ液体を除去する導管を単独で含んでも、または圧力を感知しかつ排気口を設ける、またはパージ能力を提供する１つ以上のルーメンと組み合わせられてもよい。導管１１０は、主ルーメン１２６および１つ以上の補助ルーメン１２８を含んでもよく、かつ主ルーメン１２６と１つ以上の補助ルーメン１２８との間の流体隔離を維持するように適合されている。マニホールド１１２から主ルーメン１２６を通って連通される液体や滲出液は、導管１１０から除去され、かつキャニスター１２２内に保持される。１つ以上の補助ルーメン１２８は、減圧レベルを、組織部位１０２から感知ユニット１３０へ流体的に伝達する。
【００２５】
図１に示す実施形態では、減圧源１２４は電動真空ポンプである。その代わりに、別の実装例では、減圧源１２４は、電力を必要としない、手動で作動できるまたは手動で充電できるポンプとし得る。その代わりに、減圧源１２４は、任意の他のタイプの減圧ポンプ、または、代替的には、病院および他の医療施設で利用可能なものなどの壁面吸い込みポートとし得る。減圧源１２４は、減圧治療ユニット１０６内に収容されてもまたはそれと共に使用されてもよく、この減圧治療ユニットは、センサー、処理装置、アラームインジケータ、メモリ、データベース、ソフトウェア、表示装置、およびユーザインターフェース１３２も含み、それにより、組織部位１０２への減圧治療の適用をさらに容易にする。一例では、感知ユニット１３０に配置された圧力検出センサー（図示せず）が、減圧源１２４にまたはその付近に配置され得る。圧力検出センサーは、圧力データを、減圧インターフェース１１４から、圧力検出センサーへの減圧データの伝送に専念する１つ以上の補助ルーメン１２８を介して受信し得る。圧力検出センサーは、減圧源１２４によって送達された減圧を監視および制御する処理装置と通信し得る。
【００２６】
ここで主に図２〜７を参照するが、引き続き図１を参照して、キャニスター１２２をより詳細に説明する。キャニスター１２２は、いくつもの異なる向きで機能するように適合されるため、キャニスター１２２は、多指向性キャニスターと呼ばれ得る。しかしながら、キャニスター１２２は、一般的に、減圧組織治療の最中のキャニスター１２２の動作能力を最大にする主動作向きを有する。キャニスター１２２の動作能力を最大にすることは、キャニスター１２２において使用される任意のフィルターの寿命を最大にすること、キャニスター満杯フォールスアラームを減少させるまたはなくすこと、および滲出液を貯蔵するためのキャニスター１２２の体積を最大にすることを含む。
【００２７】
キャニスター１２２は、筐体１３６を形成するように配置された１つ以上のキャニスター壁１３４によって画成される。１つ以上のキャニスター壁１３４は、一般的に、キャニスター１２２の外面を画成する。キャニスター１２２は、入口１３８、主室１４０、フィルター室１４２、および出口１４４を含む。一実施形態では、入口１３８が概して主室１４０およびフィルター室１４２の上方に位置決めされているとき、キャニスター１２２はその主動作向きにある。
【００２８】
キャニスター１２２は、いくつもの異なる方法で、およびいくつもの異なる材料から形成し得る。図３および図４の分解図に特に明瞭に示す通り、キャニスター１２２は、本体１６２を背面板１６４と接合させることによって形成し得るまたは組み立て得る。一実施形態では、本体１６２および背面板１６４は、実矧ぎ接合によって接合され得る。別の実施形態では、本体１６２および背面板１６４は、接着剤によって接合され得る。組み立て前、本体１６２は、いくつもの凹部、例えば凹部１６６および１６８を有し得る。同様に、背面板１６４は、いくつもの突起、例えば突起１７０および１７２を有し得る。組み立て時、凹部１６６および１６８は、それぞれ突起１７０および１７２を受け入れる。この実施形態では、凹部１６６、１６８と突起１７０、１７２を接合することによって、主室１４０およびフィルター室１４２を画成する。接合により、さらに、主室１４０とフィルター室１４２との間に流体連通をもたらす１つ以上のアパーチャを画成し得る。しかしながら、当然のことながら、他の構成も利用可能とし得る。例えば、一実施形態では（図示せず）、本体１６２は、主室１４０およびフィルター室１４２の周囲を画成するように予め形成された内壁を有し得る。内壁は、さらに、予め形成されたアパーチャを含み、主室１４０とフィルター室１４２との間に流体連通をもたらし得る。この実施形態では、背面板１６４は、主室１４０およびフィルター室１４２を画成する内壁を形成するように、実質的に本体１６２と接合するように機能する突起を全く含まない。
【００２９】
引き続き主に図２〜７を参照して説明すると、入口１３８は、組織部位１０２と流体的に接続されており、かつ組織部位１０２からの滲出液を受け入れることができる。主室１４０は、入口１３８と流体連通しており、かつ入口１３８から滲出液を受け取るように適合されている。一実施形態では、キャニスター１２２は、さらに、入口１３８と主室１４０との間に位置決めされた、収容室１４６を含む。収容室１４６は、滲出液が入口１３８から主室１４０へ移されるときに、滲出液がはね散らないように構成し得る。別の実施形態では、入口１３８に隣接してバッフル（図示せず）が位置決めされ、滲出液が入口１３８を通ってキャニスター１２２に入るときの、滲出液のはね散らしを阻止し得る。さらに別の実施形態では、収容室１４６に隣接してバッフルが位置決めされ、滲出液のはね散らしを減少させる追加的な機構を提供し得る。収容室１４６は、収容室１４６と主室１４０との間の流体連通をもたらすためのアパーチャ１４８を含む。
【００３０】
主室１４０は、入口１３８から流体を受け取る。主室１４０内にはゲル化剤（図示せず）が置かれてもよい。ゲル化剤は、組織部位１０２から受け取った滲出液と接触すると、ゲルを形成し得る。ゲル化剤と滲出液との組み合わせから形成されたゲルは、キャニスター１２２を動かすときに、キャニスター１２２内で周囲に滲出液がはね散らないようにするのを助け得る。
【００３１】
フィルター室１４２は、１つ以上のフィルター室壁１５０または隔壁によって主室１４０から分けられている。本体１６２の凹部１６６、１６８は、背面板１６４の突起１７０、１７２と接合して、１つ以上のフィルター室壁１５０を形成し得る。フィルター室壁１５０は、主室１４０をフィルター室１４２から流体的に分離する。一実施形態では、フィルター室１４２は、少なくとも第１のフィルター室壁１５６および第２のフィルター室壁１５８によって画成される。この実施形態では、凹部１６６は突起１７０と接合して、第１のフィルター室壁１５６を形成し、および凹部１６８は突起１７２と接合して、第２のフィルター室壁１５８を形成し得る。第１のフィルター室壁１５６は、第２のフィルター室壁１５８に実質的に垂直とし得る。１つ以上のフィルター室壁１５０は、キャニスター１２２の重心１６０と交差し得る。本明細書では、「重心」は、キャニスター１２２の全点の平均に基づいたキャニスター１２２の三次元形状の幾何学的中心とし得る。幾何学的中心は、キャニスター１２２の質量中心と一致し得るが、幾何学的中心は、質量中心に一致する必要はない。非限定的で具体的な実施形態では、第１のフィルター室壁１５６は、キャニスター１２２の重心１６０と交差する。
【００３２】
引き続き主に図２〜７を参照して説明すると、１つ以上のフィルター室壁１５０は、第１のアパーチャ１５２および第２のアパーチャ１５４含むかまたはそれらを画成する。第１および第２のアパーチャ１５２、１５４は、いくつもの異なる形状で形成し得る。非限定的で具体的な例では、第１および第２のアパーチャ１５２、１５４は丸みを帯びてもよいし、または正方形でもよい。第１のアパーチャ１５２は、第１のフィルター室壁１５６を貫通して形成され、および第２のアパーチャ１５４は、第２のフィルター室壁１５８を貫通して形成され得る。第１のアパーチャ１５２は、三次元空間において、第２のアパーチャ１５４から距離Ｄにある。第１のアパーチャ１５２は、主室１４０とフィルター室１４２との間に第１の流体連通経路を提供するように構成される。第２のアパーチャ１５４は、主室１４０とフィルター室１４２との間に別の流体連通経路を形成するように構成される。一実施形態では、第１のアパーチャ１５２は、主室１４０とフィルター室１４２との間に主流体連通経路を提供するように構成される。第１のアパーチャ１５２は第１のサイズであり、および第２のアパーチャ１５４は第２のサイズである。一実施形態では、第１のアパーチャ１５２は、第２のアパーチャ１５４よりも大きい。別の実施形態では、第１のアパーチャ１５２は、第２のアパーチャ１５４と同じサイズである。一実施形態では、第１および第２のアパーチャ１５２、１５４のサイズは、流体が主室１４０に入るときに不注意にはね散ったりまたはフィルター室１４２の内部に接触したりしないように、構成される。別の実施形態では、第１および第２のアパーチャ１５２、１５４のサイズは、はね散らしまたははね飛ばしに起因して、ゲルがフィルター室１４２に入らないように構成される。
【００３３】
第１のアパーチャ１５２は、キャニスター１２２の重心１６０上にまたはそれに隣接して位置決めされ得る。第１のアパーチャ１５２は、キャニスター１２２の外面を画成する１つ以上のキャニスター壁１３４に隣接しない個所で、第１のフィルター室壁１５６を貫通して位置決めされて、滲出液が、滲出液のはね飛ばしまたははね散らしの結果、第１のアパーチャ１５２に入らないようにし得る。換言すると、第１のアパーチャ１５２は、１つ以上のキャニスター壁１３４から離間し得る。第２のアパーチャ１５４は、第１のアパーチャ１５２と第２のアパーチャ１５４との間の距離を最大にする箇所において、第２のフィルター室壁１５８を貫通して位置決めされ得る。別の実施形態では、第２のアパーチャ１５４は、キャニスター１２２をその主動作向きで見るときに、可能な限り主室１４０の上部に近づけて、第２のフィルター室壁１５８を貫通して位置決めされ得る。
【００３４】
図示の通り、出口１４４は、１つ以上のキャニスター壁１３４を貫通してフィルター室１４２に隣接して位置決めし得る。出口１４４は、減圧源１２４とフィルター室１４２との間に流体連通をもたらすように適合される。フィルター（図示せず）は、フィルター室１４２内に位置決めされ得る。フィルターは、一般に、滲出液および液体がキャニスター１２２から出て減圧源１２４に達しないようにする疎水性フィルターとし得る。フィルターに加えて、フィルターと減圧源１２４との間に気液分離装置（図示せず）を配置して、減圧源１２４をさらに保護し得る。
【００３５】
動作時、減圧源１２４は、減圧源１２４と組織部位１０２とをつなぐ流体連通経路を介して組織部位１０２に減圧を供給する。上述の通り、マニホールド１１２、減圧インターフェース１１４、導管１１０、およびキャニスター１２２は、全て、減圧源１２４を組織部位１０２につなぐ流体連通経路の部分である。減圧が組織部位１０２に供給されると、液体を含む滲出液が組織部位１０２から除去され、かつキャニスター１２２に溜まって貯蔵される。滲出液は、まずキャニスター１２２の主室１４０に溜まる。
【００３６】
減圧は、フィルター室１４２と流体連通する出口１４４を介してキャニスター１２２に供給される。フィルター室１４２は、第１のアパーチャ１５２および第２のアパーチャ１５４によって、主室１４０と流体連通する。第２のアパーチャ１５４は、第１のアパーチャ１５２よりも著しく小さく、第１のアパーチャ１５２は、概して、フィルター室１４２と主室１４０との間の流体連通の最も抵抗の小さい経路となるようにし得る。キャニスター１２２の主動作向きでは、第２のアパーチャ１５４の位置は、第１のアパーチャ１５２の上側または上方とし得る。この実施形態では、キャニスター１２２が初めに滲出液で満たされ始めると、減圧は、主に、第１のアパーチャ１５２によってフィルター室１４２から主室１４０へ供給される。なぜなら、第１のアパーチャ１５２は、一般的に、最も抵抗の小さい経路を提示するためである。主室１４０が滲出液で満たされると、第１のアパーチャ１５２は、主室１４０内の流体レベルが第１のアパーチャ１５２に達するため、閉塞され得る。第１のアパーチャは、表面張力の結果、閉塞され得る。
【００３７】
第１のアパーチャ１５２が流体によって閉塞または遮断されると、第２のアパーチャ１５４が、フィルター室１４２と主室１４０との間の最も抵抗の小さい経路になる。流体レベルが第２のアパーチャ１５４に達して第２のアパーチャ１５４を閉塞または遮断するまで、流体は主室１４０を満たし続ける。この実施形態では、主室１４０が満杯になる結果、第１のアパーチャ１５２および第２のアパーチャ１５４の双方が流体によって遮断されると、フィルター室１４２と主室１４０との間の最も抵抗の小さい経路は、再度、第１のアパーチャ１５２を通る。フィルター室１４２内に十分な圧力が生じて、主室１４０内の流体が第１のアパーチャ１５２を通ってフィルター室１４２に引き入れられる。フィルター室１４２内の流体レベルが満杯になり、フィルターおよび出口１４４を遮断するまで、流体はフィルター室１４２を満たし続ける。キャニスター１２２の構成は、キャニスター１２２が満杯になる前にフィルターが滲出液にさらされるのを制限することによって、フィルターの有用寿命を延ばす。さらに、キャニスター１２２の構成は、フィルター室１４２が流体で満たされる前に主室１４０を流体で満たすことによって、キャニスターの滲出液貯蔵用の有効体積を増やす。
【００３８】
動作時、キャニスター１２２が動いたことによりフィルター室１４２に入った流体は、フィルター室１４２から除去または排出され得る。組織部位１０２から除去された流体は、キャニスター１２２の主室１４０に溜まり得る。キャニスター１２２は動作中に動かされて、キャニスター１２２の主動作向きから離れて第１の位置に回転され得る。キャニスター１２２が回転することによって、主室１４０内の流体は、第１のアパーチャ１５２または第２のアパーチャ１５４のいずれかを通ってフィルター室１４２に流入し得る。キャニスター１２２がその主動作向きに位置決めされているとき、第２のアパーチャ１５４は、第１のアパーチャ１５２よりも位置が上方にある。その後、キャニスター１２２が第２の位置に戻るように回転され、キャニスター１２２の主動作向きと実質的に位置合わせされる場合、全体的にはキャニスター１２２の構成、および具体的にはアパーチャ１５２、１５４の配置によって、フィルター室１４２内の流体が第１のアパーチャ１５２を通って主室１４０に戻るように流入できるようにする。
【００３９】
動作時、キャニスター１２２に位置決めされたフィルターの有用寿命は、延ばされ得る。組織部位１０２からの流体は、キャニスター１２２の主室１４０に収容される。流体は、主室１４０内に含まれたゲル化剤と反応して、ゲルを形成し得る。主室１４０内の流体またはゲルのレベルが第１のアパーチャ１５２を覆ってまたはそれに達して、第１のアパーチャ１５２を一時的に遮断させるまで、減圧源１２４からの減圧が、第１のアパーチャ１５２を介して主室１４０に適用され得る。第１のアパーチャ１５２が一時的に遮断されることに応答して、主室１４０内の流体またはゲルのレベルが第２のアパーチャ１５４を覆うまたはそれに達するまで、減圧が、第２のアパーチャ１５４を介して主室１４０に供給される。キャニスター１２２がその主動作向きに位置決めされるとき、第２のアパーチャ１５４の位置は、第１のアパーチャ１５２の上方にある。さらに、第２のアパーチャ１５４のサイズは、第１のアパーチャ１５２よりも著しく小さく、第１のアパーチャ１５２は、概して、第１のアパーチャ１５２のみが遮断されない限り、最も抵抗の小さい経路を提供し得る。流体またはゲルのレベルが第２のアパーチャ１５４を覆うことに応答して、減圧は、再度、第１のアパーチャ１５２を通して主室１４０に適用され、主室１４０およびフィルター室１４２の双方が実質的にゲルで一杯になるまで、主室１４０内のゲルをフィルター室１４２に引き入れるようにする。
【００４０】
別の実施形態の動作中、第２のアパーチャ１５４のサイズは第１のアパーチャ１５２と実質的に同じである。第１のアパーチャ１５２を覆う液体またはゲルのレベルに応答して、第２のアパーチャ１５４が最も抵抗の小さい経路になる。しかしながら、第２のアパーチャ１５４を覆う液体またはゲルのレベルに応答して、第１および第２のアパーチャ１５２、１５４の双方を通して主室１４０に減圧が適用され、主室１４０およびフィルター室１４２の双方が液体またはゲルで実質的に一杯になるまで、主室１４０内の液体またはゲルをフィルター室１４２に引き入れる。
【００４１】
一実施形態では、キャニスター１２２を液体収集キャニスターと呼ぶ。液体収集キャニスターは、１つ以上の壁によって互いに流体的に隔離された第１および第２の室を含む。第１の室は、主室１４０と同様の主室とし、および第２の室は、フィルター室１４２と同様のフィルター室とし得る。１つ以上の壁に複数のアパーチャが位置決めされて、第１の室と第２の室との間に流体連通を提供し得る。液体収集キャニスターは、さらに、組織部位からの流体を受け入れることができる入口を含み得る。入口は、組織部位と第１の室との間に流体連通を提供するように適合される。複数のアパーチャのうちの１つのアパーチャが、複数のアパーチャの別のアパーチャに垂直な平面に位置決めされ得る。１つのアパーチャの第１の直径は、複数のアパーチャの別のアパーチャの第２の直径よりも大きいとし得る。液体収集キャニスターの主動作向きにおいて、１つのアパーチャは、別のアパーチャの下方に位置決めされ得る。液体収集キャニスターは、さらに、第２の室との流体連通を提供する出口を含み、出口は、減圧源に流体的に接続されるように適合され得る。
【００４２】
上記から、重要な利点を有する発明が提供されたことが明白である。本発明をそのいくつかの形態でのみ示すが、それに限定されず、その趣旨から逸脱せずに、様々な変更および修正が行われる。
【００４３】
いくつもの個別の実施形態を説明したが、各実施形態の態様は、その実施形態のみに特有のものではなく、および実施形態の特徴を、他の実施形態の特徴と組み合わせ得ることが具体的に考慮される。
【図１】
2015510433.tif 000003
【図２】
2015510433.tif 000004
【図３】
2015510433.tif 000005
【図４】
2015510433.tif 000006
【図５】
2015510433.tif 000007
【図６】
2015510433.tif 000008
【図７】
2015510433.tif 000009
【国際調査報告】
2015510433.tif 000010
2015510433.tif 000011
2015510433.tif 000012